(57)【要約】【課題】受信光強度のゆらぎを抑えることにより受信感度を高めることが可能な光送受信モジュールを提供する。【解決手段】光送受信モジュール１は、送信部２、受信部３、フィルタ４、及び光ファイバ７を備えている。受信部３は、光ファイバ７の光軸上に配置されており、フィルタ４は、該光軸上において光ファイバ７と受信部３との間に配置されている。光ファイバ７から受ける受信光Ｌ２は、フィルタ４を透過して受信部３において受信される。送信部２から送信される送信光Ｌ１は、フィルタ４の表面において反射されて光ファイバ７に入射する。フィルタ４の透過特性は偏光方向に依存しないため、この光送受信モジュール１によれば、受信光Ｌ２が不規則に偏光していても受信光強度のゆらぎを抑えることができる。【選択図】  図１
2004361502.tif 000002
【特許請求の範囲】
【請求項１】
光伝送媒体と、
前記光伝送媒体から受信光を受信する受信部と、
前記受信光とは波長の異なる送信光を送信する送信部と、
前記受信光を透過するとともに前記送信光を反射する波長選択フィルタと
を備え、
前記光伝送媒体の光軸上において、前記光伝送媒体と前記受信部との間に前記波長選択フィルタが位置するように前記波長選択フィルタ及び前記受信部が配置されており、
前記送信部から送信される前記送信光が前記波長選択フィルタにおいて反射されて前記光伝送媒体へ入射するように前記送信部が配置されていることを特徴とする光送受信モジュール。
【請求項２】
前記送信光の波長が１２６０ｎｍ以上１３８０ｎｍ以下の範囲内にあり、前記受信光の波長が１４８０ｎｍ以上１５８０ｎｍ以下の範囲内にあることを特徴とする請求項１に記載の光送受信モジュール。
【請求項３】
光伝送媒体と、
互いに波長の異なる第１〜第ｍ（ｍは２以上の整数）の受信光成分を前記光伝送媒体からそれぞれ受信する第１〜第ｍの受信部と、
前記第１〜第ｍの受信光成分のそれぞれと波長が異なるとともに互いに波長が異なる第１〜第ｎ（ｎは１以上の整数）の送信光成分をそれぞれ送信する第１〜第ｎの送信部と、
前記第２〜第ｍの受信光成分をぞれぞれ選択的に反射するとともに前記第１の受信光成分を透過する第２〜第ｍの受信用波長選択フィルタ、及び前記第１〜第ｎの送信光成分をそれぞれ選択的に反射するとともに前記第１の受信光成分を透過する第１〜第ｎの送信用波長選択フィルタと
を備え、
前記光伝送媒体の光軸上において、前記光伝送媒体と前記第１の受信部との間に前記第２〜第ｍの受信用波長選択フィルタ及び前記第１〜第ｎの送信用波長選択フィルタが位置するように、前記第２〜第ｍの受信用波長選択フィルタ、前記第１〜第ｎの送信用波長選択フィルタ、及び前記第１の受信部が配置されており、
前記第２〜第ｍの受信用波長選択フィルタにおいて反射された前記第２〜第ｍの受信光成分をそれぞれ受信するように前記第２〜第ｍの受信部が配置されており、
前記第１〜第ｎの送信部から送信される前記第１〜第ｎの送信光成分が前記第１〜第ｎの送信用波長選択フィルタにおいてそれぞれ反射されて前記光伝送媒体へ入射するように前記第１〜第ｎの送信部が配置されていることを特徴とする光送受信モジュール。
【請求項４】
前記第１〜第ｎの送信光成分の波長がそれぞれ１２６０ｎｍ以上１３８０ｎｍ以下の範囲内にあり、前記第１〜第ｍの受信光成分の波長がそれぞれ１４８０ｎｍ以上１５８０ｎｍ以下の範囲内にあることを特徴とする請求項３に記載の光送受信モジュール。
【請求項５】
前記第１〜第ｎの送信光成分の波長がそれぞれ１２６０ｎｍ以上１３８０ｎｍ以下の範囲内にあり、前記第２〜第ｍの受信光成分の波長がそれぞれ１４８０ｎｍ以上１５００ｎｍ以下の範囲内にあり、前記第１の受信光成分の波長が１５１０ｎｍ以上１５８０ｎｍ以下の範囲内にあることを特徴とする請求項４に記載の光送受信モジュール。
【請求項６】
前記光伝送媒体が、光ファイバであることを特徴とする請求項１または３に記載の光送受信モジュール。
【請求項７】
前記送信部が、半導体レーザ素子を有することを特徴とする請求項１または３に記載の光送受信モジュール。
【請求項８】
前記受信部が、フォトダイオードを有することを特徴とする請求項１または３に記載の光送受信モジュール。
【発明の詳細な説明】
【０００１】
【発明の属する技術分野】
本発明は、送信部及び受信部を有する光送受信モジュールに関するものである。
【０００２】
【従来の技術】
図４は、従来の光送受信モジュール１０１を示す断面図である（例えば、特許文献１参照）。図４を参照すると、光送受信モジュール１０１は、送信部１０２、受信部１０３、波長選択フィルタ１０４、及び光ファイバ１０５を備えている。光ファイバ１０５を介して提供された受信光は、波長選択フィルタ１０４によって反射されて受信部１０３に入射する。受信部１０３は、フォトダイオード１０３ａを有しており、受信光を電気信号に変換する。一方、送信部１０２は、半導体レーザ素子１０２ａを有しており、電気信号を送信光に変換する。送信光は、送信部１０２から出射され、波長選択フィルタ１０４を透過して光ファイバ１０５へ入射する。
【０００３】
このような光送受信モジュール１０１を製造する際には、半導体レーザ素子１０２ａの光軸を光ファイバ１０５の光軸に合わせる光軸調整が必要となる。従って、光送信部１０２、波長選択フィルタ１０４、及び光ファイバ１０５を、該光ファイバ１０５の光軸上に並べて配置することにより、半導体レーザ素子１０２ａ及び光ファイバ１０５の光軸調整を比較的容易にしている。
【０００４】
【特許文献１】
米国特許第５，８４１，５６２号明細書
【０００５】
【発明が解決しようとする課題】
近年、ＣＡＴＶなどの放送用通信網に、光ファイバを用いた光通信システムが採用されつつある。光通信システムの伝送距離をより長くするためには、光通信システムに接続される光送受信モジュールの受信感度をより高める必要がある。特に、放送用信号がアナログ信号であるような場合には、ユーザー側端末の光送受信モジュールにおいて受信光を感度よく受信することが望ましい。
【０００６】
前述した光送受信モジュール１０１では、受信光を波長選択フィルタ１０４において反射させてから受信部１０３へ入射させている。しかしながら、波長選択フィルタ１０４の反射率には偏光依存性があり、光ファイバ１０５を長距離にわたって伝送されてきた受信光は不規則に偏光しているので、受信光が波長選択フィルタ１０４において反射される際に反射率が一定とならず、受信光の強度にゆらぎが生じる場合がある。光送受信モジュール１０１では、この受信光強度のゆらぎによって受信感度が抑えられてしまう。
【０００７】
本発明はこのような問題点を鑑みてなされたものであり、受信光強度のゆらぎを抑えることにより受信感度を高めることが可能な光送受信モジュールを提供することを目的とする。
【０００８】
【課題を解決するための手段】
上記問題を解決するために、本発明による光送受信モジュールは、光伝送媒体と、光伝送媒体から受信光を受信する受信部と、受信光とは波長の異なる送信光を送信する送信部と、受信光を透過するとともに送信光を反射する波長選択フィルタとを備え、光伝送媒体の光軸上において、光伝送媒体と受信部との間に波長選択フィルタが位置するように波長選択フィルタ及び受信部が配置されており、送信部から送信される送信光が波長選択フィルタにおいて反射されて光伝送媒体へ入射するように送信部が配置されていることを特徴とする。
【０００９】
上記した光送受信モジュールでは、受信光が波長選択フィルタを透過し、送信光が波長選択フィルタにおいて反射されるように受信部、送信部、波長選択フィルタ、及び光ファイバが配置されている。波長選択フィルタの透過特性は偏光方向依存性が少ないので、受信光の偏光方向が不規則に変動しても波長選択フィルタの透過率にほとんど影響しない。従って、受信部に入射する受信光強度のゆらぎを抑えることができるので、受信光に対する受信感度を高めることが可能となる。
【００１０】
また、本発明による光送受信モジュールは、光伝送媒体と、互いに波長の異なる第１〜第ｍ（ｍは２以上の整数）の受信光成分を光伝送媒体からそれぞれ受信する第１〜第ｍの受信部と、第１〜第ｍの受信光成分のそれぞれと波長が異なるとともに互いに波長が異なる第１〜第ｎ（ｎは１以上の整数）の送信光成分をそれぞれ送信する第１〜第ｎの送信部と、第２〜第ｍの受信光成分をぞれぞれ選択的に反射するとともに第１の受信光成分を透過する第２〜第ｍの受信用波長選択フィルタ、及び第１〜第ｎの送信光成分をそれぞれ選択的に反射するとともに第１の受信光成分を透過する第１〜第ｎの送信用波長選択フィルタとを備え、光伝送媒体の光軸上において、光伝送媒体と第１の受信部との間に第２〜第ｍの受信用波長選択フィルタ及び第１〜第ｎの送信用波長選択フィルタが位置するように、第２〜第ｍの受信用波長選択フィルタ、第１〜第ｎの送信用波長選択フィルタ、及び第１の受信部が配置されており、第２〜第ｍの受信用波長選択フィルタにおいて反射された第２〜第ｍの受信光成分をそれぞれ受信するように第２〜第ｍの受信部が配置されており、第１〜第ｎの送信部から送信される第１〜第ｎの送信光成分が第１〜第ｎの送信用波長選択フィルタにおいてそれぞれ反射されて光伝送媒体へ入射するように第１〜第ｎの送信部が配置されていることを特徴とする。
【００１１】
上記した光送受信モジュールは、第１の受信光成分が第２〜第ｍの受信用波長選択フィルタ及び第１〜第ｎの送信用波長選択フィルタを透過し、第１〜第ｎの送信光成分がそれぞれ第１〜第ｎの送信用波長選択フィルタにおいて反射され、第２〜第ｍの受信光成分がそれぞれ第２〜第ｍの受信用波長選択フィルタにおいて反射されるように構成されている。第１の受信光成分の偏光方向が不規則に変動しても第２〜第ｍの受信用波長選択フィルタ及び第１〜第ｎの送信用波長選択フィルタの透過率にほとんど影響しないので、この光送受信モジュールによれば、第１の受信部に入射する第１の受信光成分の光強度のゆらぎを抑えることができ、第１の受信光成分に対する受信感度を高めることが可能となる。
【００１２】
また、光送受信モジュールは、送信光（第１〜第ｎの送信光成分）の波長が１２６０ｎｍ以上１３８０ｎｍ以下の範囲内にあり、受信光（第１〜第ｍの受信光成分）の波長が１４８０ｎｍ以上１５８０ｎｍ以下の範囲内にあることが好ましい。あるいは、光送受信モジュールは、第１〜第ｎの送信光成分の波長がそれぞれ１２６０ｎｍ以上１３８０ｎｍ以下の範囲内にあり、第２〜第ｍの受信光成分の波長がそれぞれ１４８０ｎｍ以上１５００ｎｍ以下の範囲内にあり、第１の受信光成分の波長が１５１０ｎｍ以上１５８０ｎｍ以下の範囲内にあることが好ましい。
【００１３】
また、光送受信モジュールは、送信部が、半導体レーザ素子を有することを特徴としてもよい。これによって、送信部（または第１〜第ｎの送信部）が、偏光方向が不規則に変動しない送信光（または第１〜第ｎの送信光成分）を生成することができるので、波長選択フィルタ（または第１〜第ｎの送信用波長選択フィルタ）における送信光の反射率が一定となり、送信光強度のゆらぎを抑えることができる。
【００１４】
また、光送受信モジュールは、光伝送媒体が、光ファイバであることが好ましい。また、光送受信モジュールは、受信部が、フォトダイオードを有することが好ましい。
【００１５】
【発明の実施の形態】
以下、図面とともに本発明による光送受信モジュールの好適な実施形態について説明する。なお、図面の説明においては同一要素には同一符号を付し、重複する説明を省略する。また、図面の寸法比率は、説明のものと必ずしも一致していない。
【００１６】
（第１の実施の形態）
図１は、本発明による光送受信モジュールの第１実施形態を示す断面図である。図１を参照すると、本実施形態による光送受信モジュール１は、送信部２、受信部３、フィルタ４、パッケージ５、フェルール６、及び光ファイバ７を備えている。
【００１７】
パッケージ５は、送信部２、受信部３、フィルタ４、及び光ファイバ７を所定の位置関係で保持するための部材である。パッケージ５は、所定の軸方向に延びる筒状を呈しており、例えばステンレスなどの金属からなる。或いは、パッケージ５は、例えばエポキシ樹脂などの樹脂からなってもよい。パッケージ５には、パッケージ５を所定の軸方向に貫通する貫通孔５ａが設けられている。貫通孔５ａの一端にはフェルール６及び光ファイバ７が挿入されており、貫通孔５ａの他端には受信部３が固定されている。また、パッケージ５には、パッケージ５の表面から貫通孔５ａへ向かってパッケージ５の側壁を貫通する貫通孔５ｂが設けられている。貫通孔５ｂは、パッケージ５の中央部付近に設けられ、所定の軸方向に対して所定の角度をなす方向に貫通している。例えば、本実施形態では貫通孔５ｂは所定の軸方向に対して垂直に貫通している。貫通孔５ｂのパッケージ５表面側の端部には、送信部２が固定されている。
【００１８】
光ファイバ７は、送信光Ｌ１及び受信光Ｌ２などの信号光を伝送するための光伝送媒体である。光ファイバ７の端部は、円筒形状のフェルール６によって保持されている。そして、フェルール６が貫通孔５ａの一端に挿入されることにより、光ファイバ７の端部がパッケージ５に固定されている。このとき、光ファイバ７は、該光ファイバ７の光軸方向が所定の軸方向と一致するように固定される。
【００１９】
送信部２は、送信光Ｌ１を送信する機能を有する。ここで、図２（ａ）は、送信部２を示す断面図である。図２（ａ）を参照すると、送信部２は、いわゆる同軸型ＣＡＮパッケージの構成を有しており、ステム２１、キャップ２２、レンズ２３、レーザダイオード２４、ポール２５、フォトダイオード２６、及びリードピン２７を備えている。
【００２０】
ステム２１は、例えば直径５．６ｍｍといった大きさの円盤状の部材である。ステム２１には、複数のリードピン２７がステム２１の厚さ方向に貫通して取り付けられている。ポール２５は、レーザダイオード２４を支持するための部材であり、柱状に形成されている。ポール２５は、ステム２１の主面２１ａの中央付近に固定されている。
【００２１】
レーザダイオード２４は、送信光Ｌ１を発光するための半導体レーザ素子である。送信光Ｌ１は、後述する受信光Ｌ２とはその波長が異なっている。本実施形態では、送信光Ｌ１の波長は１２６０ｎｍ以上１３８０ｎｍ以下の範囲内で設定される。レーザダイオード２４は、複数のリードピン２７のうち一部のリードピン２７と電気的に接続されており、送信部２の外部から該リードピン２７を介して電気的な送信信号を受ける。レーザダイオード２４は、互いに対向する光出射面２４ａ及び光反射面２４ｂを有しており、この２つの面間で共振したレーザ光を送信光Ｌ１として光出射面２４ａから出射する。
【００２２】
フォトダイオード２６は、レーザダイオード２４から発光される送信光Ｌ１の光強度をモニタするための受光素子である。フォトダイオード２６は、その受光面がレーザダイオード２４の光反射面２４ｂと光学的に結合されるようにステム２１の主面２１ａ上に取り付けられている。フォトダイオード２６は、複数のリードピン２７のうち一部のリードピン２７と電気的に接続されている。フォトダイオード２６は、光反射面２４ｂからの光を受光し、受光した光の強度を電気信号に変換し、リードピン２７を介してこの電気信号を送信部２の外部へ提供する。
【００２３】
キャップ２２は、上記したレーザダイオード２４、ポール２５、及びフォトダイオード２６を覆うための部材である。キャップ２２は、一端が塞がれた円筒形状をしており、例えばステンレス、鉄、真鍮等の金属材料からなる。キャップ２２は、その他端がステム２１の主面２１ａに接するようにステム２１に固定されている。キャップ２２の一端には、レーザダイオード２４の光出射面２４ａと光学的に結合された球状のレンズ２３が設けられている。レーザダイオード２４の光出射面２４ａから出射された送信光Ｌ１は、レンズ２３によってコリメートされ、送信部２の外部へ提供される。
【００２４】
また、図１に示した受信部３は、光ファイバ７から受信光Ｌ２を受信する機能を有する。ここで、図２（ｂ）は、受信部３を示す断面図である。図２（ｂ）を参照すると、受信部３は、ステム３１、キャップ３２、レンズ３３、フォトダイオード３４、サブマウント３５、及びリードピン３７を備えている。このうち、ステム３１、キャップ３２、レンズ３３、及びリードピン３７の形状及び構成は、図２（ａ）に示した送信部２のステム２１、キャップ２２、レンズ２３、及びリードピン２７の形状及び構成と同様なので、詳細な説明を省略する。
【００２５】
フォトダイオード３４は、受信光Ｌ２を受光するための受光素子である。フォトダイオード３４としては、例えばｐｉｎフォトダイオードや、アバランシェフォトダイオードなどを用いるとよい。フォトダイオード３４は、複数のリードピン３７と電気的に接続されており、受信光Ｌ２の光強度に基づいて生成した電気的な受信信号をリードピン３７を介して受信部３の外部へ提供する。また、サブマウント３５は、フォトダイオード３４を搭載するための部材である。サブマウント３５は、ステム３１の主面３１ａの中央付近に固定されている。フォトダイオード３４は、その受光面がレンズ３３と光学的に接続されるようにサブマウント３５上に搭載されている。受信光Ｌ２は、レンズ３３によって集光され、フォトダイオード３４の受光面に入射する。受信光Ｌ２の波長は送信光Ｌ１の波長とは異なっており、本実施形態では、波長が１４８０ｎｍ以上１５８０ｎｍ以下の範囲内にある受信光Ｌ２を受信する。
【００２６】
再び図１を参照すると、フィルタ４は、光の波長に基づいて選択的に透過あるいは反射を行う波長選択フィルタである。フィルタ４の表面には、例えばガラス板やポリイミド板の表面に数十層から１００層程度の膜が形成されている。本実施形態では、フィルタ４は送信光Ｌ１を反射し、受信光Ｌ２を透過するように構成されている。フィルタ４は、貫通孔５ａ内において貫通孔５ｂに対応する位置に配置されている。フィルタ４がこのように配置されることにより、光ファイバ７の光軸（すなわち、受信光Ｌ２の光軸）上において光ファイバ７と受信部３との間にフィルタ４が位置することとなる。
【００２７】
また、フィルタ４は、貫通孔５ａを所定の軸方向に対して斜め方向に遮るように設けられている。本実施形態では、フィルタ４表面における送信光Ｌ１の反射角が直角になるように、フィルタ４は所定の軸方向に対して４５度の角度で設けられている。フィルタ４がこのように設けられることにより、送信部２から送信される送信光Ｌ１が、フィルタ４の表面において反射されて光ファイバ７へ入射することとなる。
【００２８】
以上の構成を有する本実施形態による光送受信モジュール１は、以下の動作を行う。すなわち、送信部２は、光送受信モジュール１の外部から送信データを含む電気信号を受けると、該電気信号に応じた送信光Ｌ１を生成する。そして、送信部２は、送信光Ｌ１をパッケージ５の貫通孔５ｂへ出射する。送信光Ｌ１は、フィルタ４の表面において反射され、光ファイバ７を介して光送受信モジュール１の外部へ提供される。一方、光送受信モジュール１が外部から光ファイバ７を介して受信光Ｌ２を受けると、受信光Ｌ２はフィルタ４を透過して受信部３に入射する。受信部３は、受信光Ｌ２の強度に応じた電気信号を生成する。該電気信号は、光送受信モジュール１の外部へ提供される。
【００２９】
以上に説明した本実施形態による光送受信モジュール１は、次の効果を有する。すなわち、光送受信モジュール１では、受信光Ｌ２がフィルタ４を透過し、送信光Ｌ１がフィルタ４において反射するように送信部２、受信部３、フィルタ４、及び光ファイバ７が配置されている。フィルタ４といった波長選択フィルタの透過特性は偏光方向依存性が少ないので、光送受信モジュール１によれば、受信光Ｌ２の偏光方向が不規則に変動してもフィルタ４の透過特性にほとんど影響しない。従って、受信部３に入射する受信光Ｌ２の光強度のゆらぎを抑えることができるので、受信光Ｌ２に対する受信感度を高めることが可能となる。
【００３０】
また、本実施形態による光送受信モジュール１では、送信光Ｌ１の波長が１２６０ｎｍ以上１３８０ｎｍ以下の範囲内となっており、受信光Ｌ２の波長が１４８０ｎｍ以上１５８０ｎｍ以下の範囲内となっている。
【００３１】
近年、ケーブルテレビなどの光通信網を利用した光加入者系と呼ばれるシステムが注目されている。この光加入者系は、映像信号を局側装置から加入者側装置へ送ると同時に、加入者側装置から局側装置へ上りのデータ信号を送ることが可能なシステムである。このような光加入者系では、情報量が多い映像信号用の信号光（加入者側から見れば受信光）として波長１．５５μｍ帯のアナログ信号光が用いられ、情報量が少ない上りのデータ信号用の信号光（加入者側から見れば送信光）として波長１．３μｍ帯のデジタル信号光が用いられる場合がある。
【００３２】
アナログ信号光は、微弱な信号まで正確に再現される必要があるにもかかわらず、従来の光送受信モジュールでは偏光方向の不規則な変動に対して特に敏感であった。このため、アナログ信号光をデジタル信号光と比べてより高い受信感度で受信できる光送受信モジュールが望まれている。本実施形態の光送受信モジュール１によれば、送信光Ｌ１の波長範囲を１．３μｍ帯（１２６０ｎｍ以上１３８０ｎｍ以下）とし、受信光Ｌ２の波長範囲を１．５５μｍ帯（１４８０ｎｍ以上１５８０ｎｍ以下）とすることによって、光加入者系の加入者側装置においてアナログ信号光の受信感度を高めることが可能となる。
【００３３】
また、本実施形態による光送受信モジュール１では、送信部２が、レーザダイオード２４を有している。ここで、光送受信モジュール１においては、送信光Ｌ１がフィルタ４の表面において反射されている。送信光Ｌ１の偏光方向が不規則に変動すると、フィルタ４表面において送信光Ｌ１が反射される際に反射率が一定とならず、光送受信モジュール１の外部へ提供される送信光Ｌ１の光強度にゆらぎが生じてしまう。これに対し、光送受信モジュール１ではレーザダイオード２４によって送信光Ｌ１を生成しているので、送信部２は偏光方向が一定の送信光Ｌ１を生成することができる。従って、光送受信モジュール１によれば、フィルタ４表面における送信光Ｌ１の反射率を一定にすることができるので、送信光Ｌ１の光強度のゆらぎを抑えることが可能となる。
【００３４】
（第２の実施の形態）
図３は、本発明による光送受信モジュールの第２実施形態を示す断面図である。図３を参照すると、本実施形態による光送受信モジュール１ａは、第１の送信部２ａ、第１の受信部３ａ、第２の受信部３ｂ、第１の送信用フィルタ１１、第２の受信用フィルタ１２、フェルール９、光ファイバ１０、及びパッケージ８を備えている。
【００３５】
パッケージ８は、第１の送信部２ａ、第１の受信部３ａ、第２の受信部３ｂ、第１の送信用フィルタ１１、第２の受信用フィルタ１２、及び光ファイバ１０を所定の位置関係で保持するための部材である。パッケージ８は、所定の軸方向に延びる筒状を呈している。パッケージ８には、パッケージ８を所定の軸方向に貫通する貫通孔８ａが設けられている。貫通孔８ａの一端にはフェルール９及び光ファイバ１０が挿入されており、貫通孔８ａの他端には第１の受信部３ａが固定されている。また、パッケージ８には、パッケージ８の表面から貫通孔８ａへ向かってパッケージ８の側壁を貫通する２つの貫通孔８ｂ及び８ｃが設けられている。貫通孔８ｂ及び８ｃは、それぞれ所定の軸方向に並んで設けられ、所定の軸方向に対して所定の角度をなす方向に貫通している。例えば、本実施形態では貫通孔８ｂ及び８ｃは所定の軸方向に対して垂直に貫通している。貫通孔８ｂのパッケージ８表面側の端部には、第１の送信部２ａが固定されている。また、貫通孔８ｃのパッケージ８表面側の端部には、第２の受信部３ｂが固定されている。
【００３６】
光ファイバ１０は、第１の送信光成分Ｌ３を含む送信光、並びに第１の受信光成分Ｌ４及び第２の受信光成分Ｌ５を含む受信光を伝送するための光伝送媒体である。光ファイバ１０の端部はフェルール９によって保持され、フェルール９が貫通孔８ａの一端に挿入されることにより、光ファイバ１０の端部がパッケージ８に固定されている。このとき、光ファイバ１０は、該光ファイバ１０の光軸方向が所定の軸方向と一致するように固定される。
【００３７】
第１の送信部２ａは、第１の送信光成分Ｌ３を送信する機能を有する。第１の送信部２ａの形状及び構成は、第１実施形態の送信部２の形状及び構成と同様なので、送信部２ａの詳細な説明を省略する。
【００３８】
第１の受信部３ａ及び第２の受信部３ｂは、光ファイバ１０からそれぞれ第１の受信光成分Ｌ４及び第２の受信光成分Ｌ５を受信する機能を有する。第１の受信部３ａ及び第２の受信部３ｂの形状及び構成は、第１実施形態の受信部３の形状及び構成と以下の点を除いて同様である。すなわち、第１の受信部３ａが受信する第１の受信光成分Ｌ４の波長は１５１０ｎｍ以上１５８０ｎｍ以下の範囲内であり、第２の受信部３ｂが受信する第２の受信光成分Ｌ５の波長は１４８０ｎｍ以上１５００ｎｍ以下の範囲内である。
【００３９】
第１の送信用フィルタ１１は、第１の送信光成分Ｌ３を選択的に反射する第１の送信用波長選択フィルタである。また、第２の受信用フィルタ１２は、第２の受信光成分Ｌ５を選択的に反射する第２の受信用波長選択フィルタである。第１の送信用フィルタ１１は、貫通孔８ａ内において貫通孔８ｂに対応する位置に配置されている。第２の受信用フィルタ１２は、貫通孔８ａ内において貫通孔８ｃに対応する位置に配置されている。第１の送信用フィルタ１１及び第２の受信用フィルタ１２がこのように配置されることにより、光ファイバ１０の光軸上において光ファイバ１０と第１の受信部３ａとの間に第１の送信用フィルタ１１及び第２の受信用フィルタ１２が位置することとなる。
【００４０】
また、第１の送信用フィルタ１１及び第２の受信用フィルタ１２は、貫通孔８ａを所定の軸方向に対して斜め方向に遮るように設けられている。本実施形態では、第１の送信用フィルタ１１の表面における第１の送信光成分Ｌ３の反射角、及び第２の受信用フィルタ１２の表面における第２の受信光成分Ｌ５の反射角が直角になるように、第１の送信用フィルタ１１及び第２の受信用フィルタ１２は所定の軸方向に対して４５度の角度で設けられている。第１の送信用フィルタ１１及び第２の受信用フィルタ１２がこのように設けられることにより、第１の送信光成分Ｌ３が第１の送信用フィルタ１１の表面において反射されて光ファイバ１０へ入射するとともに、第２の受信光成分Ｌ５が第２の受信用フィルタ１２の表面において反射されて第２の受信部３ｂへ入射することとなる。
【００４１】
以上の構成を有する本実施形態による光送受信モジュール１ａは、以下の動作を行う。すなわち、第１の送信部２ａは、光送受信モジュール１ａの外部から送信データを含む電気信号を受けると、該電気信号に応じた第１の送信光成分Ｌ３を生成する。そして、第１の送信部２ａは、第１の送信光成分Ｌ３をパッケージ８の貫通孔８ｂへ出射する。第１の送信光成分Ｌ３は、第１の送信用フィルタ１１の表面において反射され、光ファイバ１０を介して光送受信モジュール１ａの外部へ提供される。
【００４２】
一方、光送受信モジュール１ａが外部から光ファイバ１０を介して第１の受信光成分Ｌ４を受けると、第１の受信光成分Ｌ４は第１の送信用フィルタ１１及び第２の受信用フィルタ１２を透過して第１の受信部３ａに入射する。第１の受信部３ａは、第１の受信光成分Ｌ４の強度に応じた電気信号を光送受信モジュール１ａの外部へ提供する。また、光送受信モジュール１ａが第２の受信光成分Ｌ５を受けると、第２の受信光成分Ｌ５は第１の送信用フィルタ１１を透過するとともに第２の受信用フィルタ１２において反射されて第２の受信部３ｂに入射する。第２の受信部３ｂは、第２の受信光成分Ｌ５の強度に応じた電気信号を光送受信モジュール１ａの外部へ提供する。
【００４３】
以上に説明した本実施形態による光送受信モジュール１ａは、次の効果を有する。すなわち、光送受信モジュール１ａは、第１の受信光成分Ｌ４が第１の送信用フィルタ１１及び第２の受信用フィルタ１２を透過し、第１の送信光成分Ｌ３が第１の送信用フィルタ１１において反射され、第２の受信光成分Ｌ５が第２の受信用フィルタ１２において反射されるように構成されている。第１の受信光成分Ｌ４の偏光方向が不規則に変動しても第１の送信用フィルタ１１及び第２の受信用フィルタ１２の透過率にほとんど影響しないので、この光送受信モジュール１ａによれば、第１の受信光成分Ｌ４の光強度のゆらぎを抑えることができ、第１の受信光成分Ｌ４に対する受信感度を高めることが可能となる。
【００４４】
また、本実施形態による光送受信モジュール１ａでは、第１の送信光成分Ｌ３の波長が１２６０ｎｍ以上１３８０ｎｍ以下の範囲内にあり、第２の受信光成分Ｌ５の波長が１４８０ｎｍ以上１５００ｎｍ以下の範囲内にあり、第１の受信光成分Ｌ４の波長が１５１０ｎｍ以上１５８０ｎｍ以下の範囲内にある。
【００４５】
前述した光加入者系においては、局側装置から加入者側装置へ波長１．４８μｍ帯（１４８０ｎｍ以上１５００ｎｍ以下）のデジタル信号光を用いて下りのデータ信号を送る場合がある。このような場合、映像信号用のアナログ信号光の波長は１．４８μｍ帯を除いた１．５５μｍ帯（１５１０ｎｍ以上１５８０ｎｍ以下）となる。このデジタル信号光は加入者側から見れば受信光なので、光送受信モジュール１ａが受ける第２の受信光成分Ｌ５の波長範囲を１．４８μｍ帯とすることによって、上記した光加入者系を好適に実現できる。すなわち、局側装置からのアナログ信号を加入者側装置において感度良く受信するとともに、局側装置と加入者側装置との間でデジタル双方向通信を行うことが可能になる。
【００４６】
上記した第２実施形態の光送受信モジュール１ａは、第１の送信光成分Ｌ３を送信するとともに、第１の受信光成分Ｌ４及び第２の受信光成分Ｌ５を受信している。このほかに、波長の異なる複数の送信光成分を含む送信光を送信し、第１の受信光成分以外に波長の異なる複数の受信光成分を受信する光送受信モジュールを構成することもできる。すなわち、第１〜第ｎ（ｎ≧１）の送信光成分を送信するとともに、第１〜第ｍ（ｍ≧２）の受信光成分を受信する光送受信モジュールを構成することができる。
【００４７】
具体的には、光送受信モジュールは、第１〜第ｍの受信部と、第２〜第ｍの受信用フィルタと、第１〜第ｎの送信部と、第１〜第ｎの送信用フィルタとを備えるとよい。そして、光ファイバからの第２〜第ｍの受信光成分が第２〜第ｍの受信用フィルタにおいて反射されて第２〜第ｍの受信部において受信されるとともに、第１〜第ｎの送信部から送信された第１〜第ｎの送信光成分が第１〜第ｎの送信用フィルタにおいて反射されて光ファイバに入射するように構成するとよい。また、光ファイバの光軸上に第１の受信部を配置し、光ファイバと第１の受信部との間に第１〜第ｎの送信用フィルタ及び第２〜第ｍの受信用フィルタを配置するとよい。
【００４８】
上記した光送受信モジュールの構成において、第１の受信光成分が第１〜第ｎの送信用フィルタ及び第２〜第ｍの受信用フィルタを透過して第１の受信部において受信されることにより、第１の受信光成分を第１の受信部において感度良く受信することが可能になる。従って、光送受信モジュールが複数の受信光成分を受信する場合、高い受信感度を必要とする受信光成分（例えば前述した映像用アナログ信号）を第１の受信光成分として、第１〜第ｎの送信用フィルタ及び第２〜第ｍの受信用フィルタを透過させるとよい。なお、前述した第２実施形態は、ｍ＝２、ｎ＝１とした場合の形態である。
【００４９】
本発明は、上記した各実施形態に限らず、様々な変形が可能である。例えば、送信部の発光素子としては、半導体レーザ素子以外にも様々な素子を用いることができる。また、受信部の受光素子としては、フォトダイオード以外にも様々な素子を用いることができる。
【００５０】
【発明の効果】
以上詳細に説明したとおり、本発明による光送受信モジュールによれば、受信光強度のゆらぎを抑えることにより受信感度を高めることが可能となる。
【図面の簡単な説明】
【図１】図１は、本発明による光送受信モジュールの第１実施形態を示す断面図である。
【図２】図２（ａ）は、送信部を示す断面図である。また、図２（ｂ）は、受信部を示す断面図である。
【図３】図３は、本発明による光送受信モジュールの第２実施形態を示す断面図である。
【図４】図４は、従来の光送受信モジュールを示す断面図である。
【符号の説明】
１、１ａ…光送受信モジュール、２…送信部、２ａ…第１の送信部、３…受信部、３ａ…第１の受信部、３ｂ…第２の受信部、４…フィルタ、５、８…パッケージ、５ａ、５ｂ…貫通孔、６、９…フェルール、７、１０…光ファイバ、８ａ〜８ｃ…貫通孔、１１…第１の送信用フィルタ、１２…第２の受信用フィルタ、２１、３１…ステム、２１ａ、３１ａ…主面、２２、３２…キャップ、２３、３３…レンズ、２４…レーザダイオード、２４ａ…光出射面、２４ｂ…光反射面、２５…ポール、２６…フォトダイオード、２７、３７…リードピン、３４…フォトダイオード、３５…サブマウント、Ｌ１…送信光、Ｌ２…受信光、Ｌ３…第１の送信光成分、Ｌ４…第１の受信光成分、Ｌ５…第２の受信光成分。
【図１】
2004361502.tif 000003
【図２】
2004361502.tif 000004
【図３】
2004361502.tif 000005
【図４】
2004361502.tif 000006